(57)【要約】      （修正有）【課題】電子製品の使用時に頚椎や手首にかかる負担を軽減し、疲労を低減することができる折り畳み式スタンドを提供する。【解決手段】固定物に固定されるベース１０と支持プレート２０とを含み、ベースは収納溝３０を有し、支持プレートの内端はベースにヒンジで設置される。支持プレートの外端は可動式で傾斜面２１を形成する。収納時には、支持プレートは、収納溝の内部に水平に係止する。使用時には、支持プレートの外端を収納溝から離脱させ、傾斜面を外部に当接させて固定物を支持すると共に、固定物を傾斜配置する。支持プレートを収納溝内に合着係止させ、収納することにより、スタンドの占有スペースが低減し、携帯しやすくなる。また、支持プレートを展開又は収納することにより、スタンドをいつでもどこでも使用することができ、電気製品の携帯が容易になる。【選択図】図１
0003225202.tif 000002
【実用新案登録請求の範囲】
【請求項１】
折り畳み式スタンドであって、固定物に固定されるベースと、支持プレートとを含み、前記ベースは収納溝を有し、前記支持プレートの内端は前記ベースにヒンジで設置され、前記支持プレートの外端は可動式に設置されて傾斜面を形成し、使用時には、前記支持プレートの外端を前記収納溝から離脱させるように揺動させ、前記傾斜面が外部に当接して前記固定物を支持することで、前記固定物を傾斜させて配置し、収納時には、前記支持プレートは、前記収納溝の内部に水平に係止することを特徴とする折り畳み式スタンド。
【請求項２】
前記支持プレートは、２つのプレート本体を含み、前記ベースは、前記収納溝を２つ有し、前記プレート本体は、前記収納溝に一対一で対応して配置され、２つの前記収納溝は、並列に間隔をおいて配置され、２つの前記収納溝の間に仕切部が形成され、前記収納溝は、前記仕切部から離れた外端部を有し、前記支持プレートの内端は、前記外端部に嵌合されて前記ベースにヒンジで設置されることを特徴とする請求項１に記載の折り畳み式スタンド。
【請求項３】
前記ベースにはヒンジ軸が穿設され、前記ヒンジ軸が前記外端部と前記支持プレートの内端部をそれぞれ貫通して、前記プレート本体が前記ベースに可動式に設置されることを特徴とする請求項２に記載の折り畳み式スタンド。
【請求項４】
前記収納溝は、収納部と空部とを含み、前記収納部は前記外端部を形成し、前記収納部は前記空部と連通して配置され、収納時には、前記プレート本体が前記収納部をタイリングして係止し、前記傾斜面が前記空部に向っていることを特徴とする請求項２に記載の折り畳み式スタンド。
【請求項５】
前記空部は、傾斜するように配置され、収納時には、前記空部の傾斜方向が前記傾斜面の傾斜方向と一致することを特徴とする請求項４に記載の折り畳み式スタンド。
【請求項６】
前記仕切部に沿って、２つの前記収納溝が対称に配置され、２つの前記プレート本体が対称に配置されることを特徴とする請求項２〜５のいずれか一項に記載の折り畳み式スタンド。
【請求項７】
前記ベースは、前記固定物と固定するための固定面を有し、前記ベースに少なくとも複数の第１のパッキンが設けられ、前記第１のパッキンは前記固定面から離れる方向に沿って突出するように配置され、収納時には、前記第１のパッキンは前記支持プレートを吊り下げるように付勢することを特徴とする請求項２〜５のいずれか一項に記載の折り畳み式スタンド。
【請求項８】
前記プレート本体には第２のパッキンが設けられ、収納時には、前記第２のパッキンが前記第１のパッキンと同一面一に配置されることを特徴とする請求項７に記載の折り畳み式スタンド。
【請求項９】
収納時には、前記プレート本体は前記ベースに垂直に設置され、前記プレート本体は、外部に当接して前記固定物を支持し、かつ傾斜するように配置されることを特徴とする請求項２〜５のいずれか一項に記載の折り畳み式スタンド。
【請求項１０】
前記プレート本体は、長いセグメントと短いセグメントとを含み、前記長いセグメントと前記短いセグメントが並んで配置され、前記傾斜面の両端が前記長いセグメントと前記短いセグメントにそれぞれ芋接し、前記ベースは前記固定物の後端を固定し、使用時には、前記固定物の後端から前端に向かって前記長いセグメントと前記短いセグメントが並んで配置されることを特徴とする請求項２〜５のいずれか一項に記載の折り畳み式スタンド。
【考案の詳細な説明】
【技術分野】
【０００１】
本考案は、スタンドに関し、具体的には、折り畳み式スタンドに関する。
【背景技術】
【０００２】
スタンドは、支持の役割を果たすフレームである。
【０００３】
従来、ノートパソコン、タブレット型パソコンなどの電子製品は、スタンドなしで使用して、頚椎や手首に負担がかかりやすい。
【０００４】
従来技術では、一般的な電子製品は、スタンドが大きいか又は重いため、コンピュータのパッケージの体積を占有したり、重量を増加させたりする。また、電子製品は、異なる場所で使用されることが多く、スタンドを設けた場合には、電子製品を携帯しにくくなる。
【考案の概要】
【考案が解決しようとする課題】
【０００５】
本考案は、従来技術におけるスタンドを設けた電子製品を携帯しにくいという問題を解決するための折り畳み式スタンドを提供することを目的とする。
【課題を解決するための手段】
【０００６】
本考案は以下のように構成され、折り畳み式スタンドは、固定物に固定されるベースと、支持プレートとを含み、前記ベースは収納溝を有し、前記支持プレートの内端は前記ベースにヒンジで配置され、前記支持プレートの外端は可動に配置されて傾斜面を形成し、使用時に、前記支持プレートの外端を前記収納溝から離脱させるように揺動させ、前記傾斜面が外部に当接して前記固定物を支持することで、前記固定物を傾斜させて配置し、収納時に、前記支持プレートは、前記収納溝の内部に水平に係止する。
【０００７】
また、前記支持プレートは、２つのプレート本体を含み、前記ベースは、前記収納溝を２つ有し、前記プレート本体は、前記収納溝に一対一で対応して配置され、２つの前記収納溝は、並列に間隔をおいて配置され、２つの前記収納溝の間に仕切部が形成され、前記収納溝は、前記仕切部から離れた外端部を有し、前記支持プレートの内端は、前記外端部に嵌合されて前記ベースにヒンジで配置される。
【０００８】
また、前記ベースにはヒンジ軸が穿設され、前記ヒンジ軸が前記外端部と前記支持プレートの内端部をそれぞれ貫通して、前記プレート本体が前記ベースに可動に配置するように実現される。
【０００９】
また、前記収納溝は、収納部と空部とを含み、前記収納部は前記外端部を形成し、前記収納部は前記空部と連通して配置され、収納時に、前記プレート本体が前記収納部をタイリングして係止し、前記傾斜面が前記空部に向っている。
【００１０】
また、前記空部は、傾斜するように配置され、収納時に、前記空部の傾斜方向が前記傾斜面の傾斜方向と一致する。
【００１１】
さらに、前記仕切部に沿って、２つの前記収納溝が対称に配置され、２つの前記プレート本体が対称に配置される。
【００１２】
さらに、前記ベースには、前記固定物と固定するための固定面を有し、前記ベースに少なくとも複数の第１のパッキンが設けられ、前記第１のパッキンは前記固定面から離れる方向に沿って突起するように配置され、収納時に、前記第１のパッキンは前記支持プレートを吊り下げるように付勢する。
【００１３】
さらに、前記プレート本体に第２のパッキンが設けられ、収納時に、前記第２のパッキンが前記第１のパッキンと面一に配置される。
【００１４】
さらに、収納時に、前記プレート本体は前記ベースに垂直に配置され、前記プレート本体は、外部に当接して前記固定物を支持し、かつ傾斜するように配置される。
【００１５】
さらに、前記プレート本体は、長いセグメントと短いセグメントとを含み、前記長いセグメントと前記短いセグメントが並んで配置され、前記傾斜面の両端が前記長いセグメントと前記短いセグメントにそれぞれ芋接し、前記ベースは前記固定物の後端を固定し、使用時に、前記固定物の後端から前端に向かって前記長いセグメントと前記短いセグメントが並んで配置される。
【考案の効果】
【００１６】
従来技術に比べて、本考案にて提供される折り畳み式スタンドは、使用時に、支持プレートを揺動させて支持プレートの外端を収納溝から離脱させ、支持プレートの傾斜面によって外部に当接させて固定物を支持すると共に、傾斜面によって固定物を傾斜するように配置することで、固定物の使用時に、支持スタンドによって、頚椎や手首にかかる負担を軽減し、使用疲労を低減する。収納時に、支持プレートを揺動させてリセットして支持プレートを収納溝内に合着係止させ、支持プレートの収納を実現して、スタンドの占有スペースを低減し、携帯しやすくなる。また、支持プレートを展開又は収納することにより、スタンドをいつでもどこでも使用することができ、スタンドを設けた電気製品の携帯が容易になる。
【図面の簡単な説明】
【００１７】
【図１】本考案にて提供される折り畳み式スタンドの使用状態の立体図である。
【図２】本考案にて提供される折り畳み式スタンドの収納状態の平面図である。
【図３】本考案にて提供される折り畳み式スタンドの使用状態の立体図である。
【図４】本考案にて提供される折り畳み式スタンドの使用状態の立体図である。
【図５】本考案にて提供される折り畳み式スタンドの使用状態の分解図である。
【図６】本考案にて提供される折り畳み式スタンドと固定物との係合の使用状態の立体図である。
【図７】本考案にて提供される折り畳み式スタンドと固定物との係合の収納状態の立体図である。
【図８】本考案にて提供される折り畳み式スタンドと固定物との係合の使用状態の立体図である。
【考案を実施するための形態】
【００１８】
本考案の目的、技術的解決手段及び利点をより明確にするために、以下に図面及び実施例を参照して本考案をさらに詳細に説明する。なお、本明細書に記載された特定の実施例は、本考案を説明するためのものにすぎず、本考案を限定するためのものではないことを理解されたい。
【００１９】
以下、具体的な実施例を参照して本考案の実施を詳細に説明する。
【００２０】
本実施例の図面における同一又は類似の参照番号は、同一又は類似の構成要素に対応している。本考案の説明において、用語「上」、「下」、「左」、「右」などの示す方位又は位置関係は、図面に基づいて示す方位又は位置関係であり、本考案の説明の便宜及び説明の簡略化のためであり、参照する装置又は要素が特定の方位を有し、特定の方位で構成及び動作しなければならないことを指示又は示唆するものではないことを理解されたいので、図面における位置関係を示す用語は、例示的な説明に過ぎず、本考案の限定として解釈されるものではなく、当業者であれば、上記用語の具体的な意味を具体的な状況に応じて理解することができる。
【００２１】
図１〜８を参照すると、本考案にて提供される好適な実施例が示される。
【００２２】
本考案にて提供される折り畳み式スタンドは、ベース１０と支持プレート２０とを含み、ベース１０は固定物６０との固定に用いられ、ベース１０は収納溝３０を有し、支持プレート２０の内端はベース１０にヒンジで配置され、支持プレート２０の外端は可動に配置されて傾斜面２１を形成し、使用時に、支持プレート２０の外端を収納溝３０から離脱させるように揺動させ、傾斜面２１が外部に当接して固定物６０を支持することで、固定物６０を傾斜させて配置し、収納時に、支持プレート２０は、収納溝３０の内部に水平に係止する。
【００２３】
上記折り畳み式スタンドは、使用時に、支持プレート２０を揺動させて支持プレート２０の外端を収納溝３０から離脱させ、支持プレート２０の傾斜面２１によって外部に当接させて固定物６０を支持すると共に、傾斜面２１によって固定物６０を傾斜するように配置することで、固定物６０の使用時に、頚椎や手首などにかかる負担を軽減し、使用疲労を低減する。収納時に、支持プレート２０を揺動させてリセットして支持プレート２０を収納溝３０内に合着係止させ、支持プレート２０の収納を実現して、スタンドの占有スペースを低減し、携帯しやすくなる。また、支持プレート２０を展開又は収納することにより、スタンドをいつでもどこでも使用することができ、スタンドを設けた電気製品の携帯が容易になる。
【００２４】
固定物６０は、ノートパソコンであってもよいし、タブレット型パソコンであってもよいし、又は非電子機器であってもよく、本願はスタンドの使用分野を限定しないものである。
【００２５】
また、支持プレート２０により、電子機器を吊り上げるように配置して、電子機器の放熱を容易にし、電子機器の使用の安全性を高めることができる。
【００２６】
支持プレート２０は、２つのプレート本体２２を含み、ベース１０は、収納溝３０を２つ有し、プレート本体２２は、収納溝３０に一対一で対応して配置され、２つの収納溝３０は、並列に間隔をおいて配置され、２つの収納溝３０の間に仕切部１１が形成され、収納溝３０は、仕切部１１から離れた外端部を有し、支持プレート２０の内端は、外端部に嵌合されてベース１０にヒンジで配置される。
【００２７】
このように、使用時に、２つのプレート本体２２をそれぞれ揺動させると、２つのプレート本体２２が互いに反対方向に揺動し、２つのプレート本体２２による支持範囲がさらに広くなり、プレート本体２２による支持効果が向上する。
【００２８】
また、ベース１０にはヒンジ軸５０が穿設され、ヒンジ軸５０が外端部と支持プレート２０の内端部をそれぞれ貫通して、プレート本体２２がベース１０に可動に配置するように実現される。
【００２９】
収納溝３０は、収納部３２と空部３１とを含み、収納部３２は外端部を形成し、収納部３２は空部３１と連通して配置され、収納時に、プレート本体２２が収納部３２をタイリングして係止し、傾斜面２１が空部３１に向っていて、このように、使用する必要がある場合、指を空部３１に嵌め込むことで、プレート本体２２を揺動させやすくなる。
【００３０】
また、空部３１は、傾斜するように配置され、収納時に、空部３１の傾斜方向が傾斜面２１の傾斜方向と一致し、このように、空部３１と傾斜面２１との係合効果が高まり、空部３１の設置スペースが節約される。
【００３１】
ベース１０は、シーリングプレートを含み、収納溝３０は上部開口部と下部開口部を形成し、シーリングプレートは収納溝３０の上部開口部を覆い、このように、収納時に、プレート本体２２が収納溝３０に置かれて、プレート本体２２がシーリングプレートに合着されることで、プレート本体２２の収納効果及びプレート本体２２の収納安定性が向上する。
【００３２】
シーリングプレートに第１の磁気ブロックが設けられ、プレート本体２２に第２の磁気ブロックが設けられ、第１の磁気ブロックと第２の磁気ブロックとは異性的に吸着して配置され、収納時に、プレート本体２２が収納溝３０に置かれた場合、第１の磁気ブロックと第２の磁気ブロックは対応して配置され、第１の磁気ブロックと第２の磁気ブロックとの協働により、プレート本体２２の収納効果及びプレート本体２２の収納安定性が向上する。
【００３３】
シーリングプレートに補強溝が設けられ、プレート本体２２に補強ブロックが設けられ、収納時に、プレート本体２２が収納溝３０に置かれると、補強ブロックが補強溝に嵌り込み、プレート本体２２の収納効果及びプレート本体２２の収納安定性が向上する。
【００３４】
補強ブロックは帯状に配置され、補強ブロックの一端が傾斜面２１まで延びているので、使用時に、外部との接触面積が大きくなり、スタンド本体の使用が安定する。
【００３５】
仕切部１１に沿って、２つの収納溝３０が対称に配置され、２つのプレート本体２２が対称に配置され、このように、スタンド本体の使用際に、スタンド本体の使用が安定する。
【００３６】
ベース１０には、固定物６０と固定するための固定面を有し、ベース１０に少なくとも複数の第１のパッキン４０が設けられ、第１のパッキン４０は固定面から離れる方向に沿って突起するように配置され、収納時に、第１のパッキン４０は支持プレート２０を吊り下げるように配置し、第１のパッキン４０によって、収納時に、ベース１０を吊り下げるように配置し、このように、携帯中にベース１０が摩耗することを回避し、ベース１０を保護する役割を果たす。
【００３７】
ベース１０に第１のパッキン４０が２つ設けられ、ベース１０は、長尺状に配置され、ベース１０の両端に沿って２つの第１のクッション体がベース１０の両端にそれぞれ配置されることで、収納時に、ベース１０が吊り下げるように配置され、ベース１０を保護する役割を果たす。
【００３８】
第１のパッキン４０は、半円状に配置され、円弧状の辺と直線状の辺を有し、直線状の辺は、収納溝３０に向かって配置され、円弧状の辺は、収納溝３０から離れる方向に沿ってアーチ状に配置され、このように、第１のパッキン４０の緩衝効果が高まる。
【００３９】
第１のパッキン４０は、扁平状に配置され、第１のパッキン４０と外部との接触面積が増大し、第１のパッキン４０の緩衝効果及び支持効果が向上する。
【００４０】
プレート本体２２に第２のパッキン７０が設けられ、第２のパッキン７０と第１のパッキン４０は面一に配置され、このように、第２のパッキン７０と第１のパッキン４０の協働作用により、ベース１０の支持強度が高まり、フレーム全体の構造がより安定する。
【００４１】
第２のパッキン７０は、扁平状に配置され、第２のパッキン７０と外部との接触面積が増大し、第１のパッキン４０の緩衝効果及び支持効果が向上する。
【００４２】
収納時に、プレート本体２２は、ベース１０に垂直に配置され、固定物６０に対する本体の支持作用が確保される。
【００４３】
プレート本体２２は、外部に当接させて固定物６０を支持すると共に、傾斜するように配置することで、固定物６０が傾斜するように配置され、固定物６０の使用時に、頚椎や手首などにかかる負担を軽減し、使用疲労を低減する。
【００４４】
プレート本体２２は、長いセグメントと短いセグメントとを含み、長いセグメントと短いセグメントが並んで配置され、傾斜面２１の両端が長いセグメントと短いセグメントにそれぞれ芋接し、ベース１０は固定物６０の後端に固定され、使用時に、固定物６０の後端から前端に向かって長いセグメントと短いセグメントが並んで配置され、このように、固定物６０を実現する際、固定物６０の操作面は、傾斜して配置され、操作者の方向に向かって傾斜して配置され、固定物６０の使用が容易となる。
【００４５】
プレート本体２２は、扁平状に配置され、本体が収納溝３０に係合しやすく、プレート本体２２の収納が容易である。
【００４６】
使用時に、プレート本体２２は、外部に当接させて、傾斜するように配置され、その傾斜角度は３０〜７０度で、好ましくは６０度である。
【００４７】
ベース１０は、固定面との反対側の可動面を有し、第１のパッキン４０が可動面に固定され、収納時に、プレート本体２２は水平で可動面と面一に配置され、プレート本体２２の収納効果が高まるとともに、第１のパッキン４０のプレート本体２２に対する保護作用が確保される。
【００４８】
スタンドは、ベース１０及び支持プレート２０が係合することにより、構造が簡単で、軽量化されて携帯しやすくなる。
【００４９】
以上、本考案の好ましい実施例に過ぎず、本考案を制限するものではなく、本考案の精神と原理内で行われるあらゆる修正、置換及び改良などは、すべて本考案の範囲内として保護されるべきものである。
【図１】
0003225202.tif 000003
【図２】
0003225202.tif 000004
【図３】
0003225202.tif 000005
【図４】
0003225202.tif 000006
【図５】
0003225202.tif 000007
【図６】
0003225202.tif 000008
【図７】
0003225202.tif 000009
【図８】
0003225202.tif 000010